(57)【要約】【課題】  洗髪時に水や洗剤などの液体が使用者の目、口、鼻などに掛かることを防いでいる鍔が経年劣化によりその機能を果たさなくなったときでも全体を買い替えるなどして交換する必要がない洗髪用保護具を提供することを目的とする。【解決手段】  装着する使用者の額に沿って湾曲し、少なくとも使用者の額に当接する部位が合成樹脂からなる中空の本体部（１）と、前記本体部（１）の外周側面（１ａ）に沿って湾曲した基部（２１）及び前記基部（２１）より傾斜して延設されている張出部（２２）を有する鍔部（２）と、前記本体部（１）の外周側面（１ａ）に沿って湾曲した支持部（３）とを備え、前記本体部（１）に設けられた第１係合部（１１）と前記支持部（３）に設けられた第２係止部（３１）が係合して、前記鍔部（２）の前記基部（２１）が挟持される洗髪用保護具により解決した。【選択図】図１
2019072173.tif 000002
【特許請求の範囲】
【請求項１】
装着する使用者の額に沿って湾曲し、少なくとも使用者の額に当接する部位が合成樹脂からなる中空の本体部と、
前記本体部の外周側面に沿って湾曲した基部及び前記基部より傾斜して延設されている張出部を有する鍔部と、
前記本体部の外周側面に沿って湾曲した支持部とを備え、
前記本体部に設けられた第１係合部と前記支持部に設けられた第２係止部が係合して、前記鍔部の前記基部が挟持されることを特徴とする洗髪用保護具。
【請求項２】
前記本体部及び前記支持部が帯状であり、それぞれの両端側に、
前記本体部及び前記支持部の間で固定される止着部及び前記止着部に延設され内側に窪んでいる保護部を有する耳当て部と
を備えることを特徴とする請求項１に記載の洗髪用保護具。
【請求項３】
前記本体部が、前記本体部の外周側面から前記基部側に向かって突出した突出部を有することを特徴とする請求項１又は請求項２に記載の洗髪用保護具。
【請求項４】
装着する使用者の額に沿って湾曲し、少なくとも使用者の額に当接する部位が合成樹脂からなる中空の本体部と、
前記本体部の外周側面に沿って湾曲した基部及び前記基部より傾斜して延設されている張出部を有する鍔部とを備え、
前記本体部が、前記本体部の外周側面から前記基部側に向かって突出した突出部を有し、
前記基部が、前記突出部を挿通する挿通孔を有し、
前記突出部が前記挿通孔に挿通されて係止されることを特徴とする洗髪用保護具。
【請求項５】
前記本体部の外周側面に沿って湾曲した支持部を有し、
前記本体部に設けられた第１係合部と前記支持部に設けられた第２係止部が係合して、前記支持部が係止されることを特徴とする請求項４に記載の洗髪用保護具。
【発明の詳細な説明】
【技術分野】
【０００１】
本発明は、人間が浴室などで髪の毛を洗うときに、水や洗剤が目などに入ることを防止するために頭部に装着する洗髪用保護具部に関するものである。
【背景技術】
【０００２】
従来、幼児、児童又は高齢者などの髪の毛を洗うときに、水や洗剤が目、口、鼻などに入ることを嫌悪するために、そのようなことがないように頭部に装着するシャンプーハットなどの保護具が知られている。
【０００３】
例えば、特許文献１には、使用者の頭部に当接し液体を遮断する管状部材と、シャワーからの湯や水が顔に掛かることを防止し頭部側に向かって張り出した保護部などを備える洗髪用保護具が開示されている。
【０００４】
また、特許文献２には、中空で空気を入れて膨らませ、使用者の顎、左右耳側、額と顔の周囲を取り囲んで保護するシャンプーハットが開示されている。
【先行技術文献】
【特許文献】
【０００５】
【特許文献１】米国特許第８２４５３２３号明細書
【特許文献２】実公平６−２５２０４号公報
【発明の概要】
【発明が解決しようとする課題】
【０００６】
しかしながら、特許文献１や特許文献２の洗髪時に使用する保護具では、顔に水や洗剤などの液体が掛かることを防いでいる鍔は、頭部に当接している部材よりも使用者がより手で触れる部分であり、とりわけ幼児や児童の取り扱いが乱雑であるために劣化しやすいところ、この鍔が劣化すると頭部に当接している部材と一体的に成形されているため、頭部に当接している部材が劣化してなくても保護具全体を買い替えるなどして交換しなければならないという課題があった。
【０００７】
そこで、本発明は上記課題を鑑みてなされたものであり、洗髪時に水や洗剤などの液体が使用者の目、口、鼻などに掛かることを防いでいる鍔が経年劣化などによりその機能を果たさなくなったときでも全体を買い替えるなどして交換する必要がない洗髪用保護具を提供することを目的とする。
【課題を解決するための手段】
【０００８】
〔１〕すなわち、本発明は、装着する使用者の額に沿って湾曲し、少なくとも使用者の額に当接する部位が合成樹脂からなる中空の本体部（１）と、前記本体部（１）の外周側面（１ａ）に沿って湾曲した基部（２１）及び前記基部（２１）より傾斜して延設されている張出部（２２）を有する鍔部（２）と、前記本体部（１）の外周側面（１ａ）に沿って湾曲した支持部（３）とを備え、前記本体部（１）に設けられた第１係合部（１１）と前記支持部（３）に設けられた第２係止部（３１）が係合して、前記鍔部（２）の前記基部（２１）が挟持されることを特徴とする洗髪用保護具である。
【０００９】
〔２〕そして、前記本体部（１）及び前記支持部（３）が帯状であり、それぞれの両端側に、前記本体部（１）及び前記支持部（３）の間で固定される止着部（４１）及び前記止着部（４１）に延設され内側に窪んでいる保護部（４２）を有する耳当て部（４）とを備えることを特徴とする前記〔１〕に記載の洗髪用保護具である。
【００１０】
〔３〕そして、前記本体部（１）が、前記本体部（１）の外周側面（１ａ）から前記基部（２１）側に向かって突出した突出部（１２）を有することを特徴とする前記〔１〕又は前記〔２〕に記載の洗髪用保護具である。
【００１１】
〔４〕そして、装着する使用者の額に沿って湾曲し、少なくとも使用者の額に当接する部位が合成樹脂からなる中空の本体部（１）と、前記本体部（１）の外周側面（１ａ）に沿って湾曲した基部（２１）及び前記基部（２１）より傾斜して延設されている張出部（２２）を有する鍔部（２）とを備え、前記本体部（１）が、前記本体部（１）の外周側面（１ａ）から前記基部（２１）側に向かって突出した突出部（１２）を有し、前記基部（２１）が、前記突出部（１２）を挿通する挿通孔（２３）を有し、前記突出部（１２）が前記挿通孔（２３）に挿通されて係止されることを特徴とする洗髪用保護具である。
【００１２】
〔５〕そして、前記本体部（１）の外周側面（１ａ）に沿って湾曲した支持部（３）を有し、前記本体部（１）に設けられた第１係合部（１１）と前記支持部（３）に設けられた第２係止部（３１）が係合して、前記支持部（３）が係止されることを特徴とする前記〔４〕に記載の洗髪用保護具である。
【発明の効果】
【００１３】
本発明の洗髪用保護具によれば、洗髪時に水や洗剤などの液体が使用者の目、耳、口、鼻などに掛かることを防いでいる鍔が経年劣化などによりその機能を果たさなくなったときでも全体を買い替えるなどして交換する必要がないという効果を奏する。
【図面の簡単な説明】
【００１４】
【図１】本発明の第一実施の形態における洗髪用保護具の斜視図である
【図２】本発明の第一実施の形態における洗髪用保護具の分解斜視図である。
【図３】本発明の第一実施の形態における洗髪用保護具のＡ−Ａ線断面図である。
【図４】本発明の第一実施の形態における洗髪用保護具の耳当て部を装着する手順を示した説明図である。
【図５】本発明の第一実施の形態における洗髪用保護具の耳当て部を装着した状態の部分斜視図である。
【図６】本発明の第一実施の形態における洗髪用保護具の耳当て部を装着した状態の部分平面である。
【図７】本発明の第二実施の形態における洗髪用保護具の分解斜視図である。
【図８】本発明の第二実施の形態における洗髪用保護具の図３に相当する線断面図である。
【図９】本発明の第三実施の形態における洗髪用保護具の分解斜視図である。
【図１０】本発明の第三実施の形態における洗髪用保護具の図３に相当する線断面図である。
【発明を実施するための形態】
【００１５】
以下、本発明の洗髪用保護具における一実施の形態について図に基づいて説明する。なお、以下に説明する実施形態は、本発明を実施するに好ましい具体例であるから、技術的に種々の限定がなされているが、本発明は、以下の説明において特に発明を限定する旨明記されていない限り、これらの形態に限定されるものではない。
【００１６】
＜第一実施形態＞
図１に示すように、本発明の洗髪用保護具は、装着する使用者の額に沿って湾曲した本体部１と、本体部１に留め使用者の目、鼻、口などに水などが掛かることを防ぐ鍔部２と、本体部１と共に鍔部２を挟持する支持部３などを有しており、また、使用者の耳に水などが掛からないようにするために、本体部１と支持部３で固定される耳当て部４を具備することができる。
【００１７】
本体部１は、装着する使用者の額に沿って湾曲し、少なくとも使用者の額に当接する部位が合成樹脂からなる中空の部材である。本体部１は、本発明の洗髪用保護具の基本的部材の一つであり、使用者が装着ときに直接的に当接する部材である。図１、図２に示すように、本実施形態において略Ｕ字形状を有している。
【００１８】
本体部１は、さらに、使用者の額に当接する身体当接部１３と、一面側で身体当接部１３が嵌合される身体当接部１３との間で中空を生じさせる嵌着部１４と、嵌着部１４の他面側で嵌着部１４と嵌合され鍔部２と当接する外嵌部１５から構成されており、身体当接部１３、嵌着部１４、外嵌部１５のそれぞれが装着する使用者の額に沿って略Ｕ字状に湾曲しているため、本体部１が略Ｕ字状に湾曲している。本実施形態において、本体部１は、身体当接部１３、嵌着部１４、外嵌部１５の三種類の部材から構成されているが、他の実施形態において、二種類の部材、又は四種類以上の部材を組み合わせて作成することができる。
【００１９】
身体当接部１３は、嵌着部１４の左右端である長手方向の両端側の間の全体に亘って設けられ、使用者の額に直接的に当接する部材である。そして、図３に示すように、身体当接部１３は、その上下端において嵌着部１４の上端と下端に設けられた溝に嵌合されており、嵌着部１４とはその上下端でしか接触しないように上下方向に長く身体当接部１３の間に空間Ｓが生じることにより、断面が略半円状で左右に亘って筒状に長い中空を形成している。また、身体当接部１３は、シリコーンゴム、ポリ塩化ビニル、ポリ酢酸ビニル、ポリエチレンなどの可撓性を有する合成樹脂から成っている。このように、身体当接部１３と嵌着部１４の間が中空状になっており、さらに、身体当接部１３が、可撓性を有する合成樹脂から成っていることにより、本体部１が使用者の額に当接しても、密着しやすく水などの液体を通しにくくなり、その使用者の目、口、鼻などに水などの液体が掛かることを防ぐことができる。
【００２０】
嵌着部１４は、使用者側である一面側で身体当接部１３を上下端で嵌合し、鍔部２側である他面側で外嵌部１５を嵌合する帯状部材である。嵌着部１４は、硬質シリコーン樹脂などの合成樹脂から成っており、身体当接部１３を形成する合成樹脂に比べて硬度が同等以上で、本体部１の骨格を形成している。
【００２１】
外嵌部１５は、嵌着部１４の他面側に設けられた窪みで嵌着部１４と嵌合される帯状の部材であり、嵌着部１４と当接している面とは反対側の面で鍔部２と当接する。図２に示すように、外嵌部１５は、嵌着部１４の左右端側である長手方向の両端側の間の全体に亘って嵌着部１４に嵌合されている。
【００２２】
そして、図２及び図３に示すように、外嵌部１５において、本体部１の外周側面１ａに相当し鍔部２と当接する面側には、略円錐状の突出部１２が突出して一体的に複数形成されており、鍔部２と当接するときに鍔部２に食い込み、鍔部２などに力が加わっても鍔部２が脱落したりずれたりしないように固定するという機能を有している。突出部１２は、本実施形態において、略円錐状の形状を有しているが、他の実施形態において、鍔部２が脱落やずれなど動かないようにすることができる限りにおいて、略半球状、略円柱状、略円錐台、略角柱状、略角錐状、略角錐台などの種々の形状とすることができる。
【００２３】
外嵌部１５の材質としては、硬度や耐久性などの特性から、ポリアセタール、ナイロン６，６、ナイロン６、ポリプロピレン、ポリエチレン、ポリ塩化ビニル、ポリスチレン、ポリ酢酸ビニル、ポリウレタン、アクリル樹脂、ＡＢＳ樹脂、ポリエチレンテレフタレート、シリコーン樹脂などの合成樹脂である好ましい。
【００２４】
さらに、図１及び図２に示すように、外嵌部１５において、本体部１の外周側面１ａに相当し鍔部２と当接する面側であってその左右端側には、第１係合部１１である突設部１１１が図６における紙面前後方向である上下方向から見たときに略Ｔ字状乃至は略Ｌ字状に突出して設けられている。突設部１１１において、支持部３の左右端側に設けられた第２係止部３１である貫通孔３１１に、外嵌部１５から突設された根元部が挿通され、そして、根元部の立設方向から略垂直方向に板状に一体で横設された抜止部により、鍔部２が本体部１と支持部３により挟持されるように構成される。また、外周測面１ａに略平行な板状である突設部１１１の一部である抜止部が、貫通孔３１１より大きいために、支持部３と当接して、支持部３が外嵌部１５から脱離しないようにしている。本実施形態において、第１係合部１１が外周側面１ａから突設された突設部１１１であるが、他の実施形態において、ボタン、フック、磁石など一対で使用する留め具の一方側とすることができる。
【００２５】
鍔部２は、本体部１の外周側面１ａに沿って湾曲した基部２１と、基部２１より傾斜して延設されている張出部２２を有する部材である。鍔部２により、本発明の洗髪用保護具を装着する使用者の目、口、鼻などに水などの液体が掛かることを防ぐことができる。
【００２６】
基部２１は、嵌着部１４や外嵌部１５とおおよそ同じ幅でおおよそ同じ長さである帯状の形状を有している。鍔部２のうち基部２１が本体部１と支持部３に挟持されることにより、鍔部２が固定される。このように鍔部２は、本体部１と支持部３とは別部材であるために、鍔部２が経年劣化などにより破れたり孔が開いてしまったりして水などの液体が掛かるときには、鍔部２のみを交換することにより、全体を交換する必要がないという効果を奏している。
【００２７】
張出部２２は、基部２１から所定の角度だけ傾斜して延設されている略三日月状の部材である。この張出部２２が、庇としての機能を果たすために使用者の目、口、鼻などに水などの液体が掛かることを防いでいる。本実施形態において、張出部２２は、略三日月の形状を有しているが、他の実施形態において、顔に水などの液体が掛からないようにする限りにおいて帯状など種々の形状とすることがでる。また、図３に示すように、基部２１における張出部２２が延設されている端部とは反対側の端部に略直角に折り曲げられた掛止部を有し、本体部１の間から水などの液体が漏れて使用者の顔に垂れてこないように、鍔部２の基部２１と本体部１の嵌着部１４及び外嵌部１５を覆っている。
【００２８】
鍔部２の基部２１及び張出部２２の材質としては、硬度や耐久性などの特性から、エチレン−酢酸ビニルの共重合体の発泡体、ポリ酢酸ビニルの発泡体、ポリウレタンの発泡体、ポリスチレンの発泡体などの合成樹脂である好ましい。発泡体とするにより、軽量化することができ、所定の角度傾斜している状態を維持しやすい。
【００２９】
支持部３は、本体部１の外周側面１ａに沿って湾曲した形状を有する部材である。そして、支持部３は、嵌着部１４や外嵌部１５とおおよそ同じ幅でおおよそ同じ長さである帯状の形状を有している。本実施形態において、支持部３が帯状の形状を有しているが、他の実施形態において、本体部１と協同して鍔部２を挟持することができる限りにおいて、種々の形状とすることができる。また、支持部３における鍔部２と当接する面とは反対側である表面側には図柄、模様など平面状又は立体形状の装飾を施すこともできる。
【００３０】
そして、支持部３の長手方向の両端側である左右両端側には、第２係合部３１である上下方向に長い矩形状の貫通孔３１１が穿設されている。貫通孔３１１は、略Ｔ字状乃至は略Ｌ字状に突設された突設部１１１を挿通し、鍔部２が本体部１と支持部により挟持されるように構成され、また、外周測面１ａに略平行な板状である突設部１１１の抜止部が、支持部３と当接して、支持部３が外嵌部１５から脱離しないようにしている。本実施形態において、第２係合部３１が矩形状に穿設された貫通孔３１１であるが、他の実施形態において、ボタン、フック、磁石など一対で使用する留め具の他方側とすることができる。
【００３１】
そして、支持部３の左右両端側における鍔部２と当接する側面に、貫通孔３１１を挟んで嵌合凸部３２が支持部３の厚みと同程度又はそれより薄く突設されている。嵌合凸部３２は、後述するように、耳当て部４の止着部４１に穿設された嵌合孔４１１に嵌合して、耳当て部４を本体部１及び支持部３の間で固定することができる。
【００３２】
支持部３の材質としては、硬度や耐久性などの特性から、ポリアセタール、ナイロン６，６、ナイロン６、ポリプロピレン、ポリエチレン、ポリ塩化ビニル、ポリスチレン、ポリ酢酸ビニル、ポリウレタン、アクリル樹脂、ＡＢＳ樹脂、ポリエチレンテレフタレート、シリコーン樹脂などの合成樹脂である好ましい。
【００３３】
耳当て部４は、本体部１及び支持部３の間で固定される止着部４１及び止着部４１に延設され内側に窪んでいる保護部４２を有する部材である。耳当て部４により、水などの液体が使用者の耳に入ることを防ぐことができる。耳当て部４を、本発明の洗髪用保護具に対して必要に応じて装着することができる。
【００３４】
止着部４１は、少なくとも一端側で細長く板状の形状を有している。また、止着部４１の一端側には、略Ｓ字状の嵌合孔４１１が穿設されており、この嵌合孔４１１が、突設部１１１を挿通し、さらに、嵌合凸部３２に嵌合されて、耳当て部４を本体部１及び支持部３の間で固定することができる。また、嵌合孔４１１が、突設部１１１から抜き出されることもでき、嵌合孔４１１が、突設部１１１に挿通自在となっている。
【００３５】
保護部４２は、止着部４１の他端側に着設され、ヘッドフォンの耳当てのような中央部が内側に窪んだ略有底円筒形を有している。この窪みに使用者の耳が入るように装着することにより、保護部４２が使用者の耳を覆うため、水などの液体が使用者の耳に入ることを防ぐことができる。
【００３６】
次に、耳当て部４を本体部１と支持部３で固定する動作について説明する。図４（ａ）に示すように、耳当て部４の保護部４を下側にして止着部４１の嵌合孔４１１に本体部１の突設部１１１を挿通し、図４（ｂ）に示すように、突設部４１１を中心に保護部４２を上方に回動する。そして、図４（ｃ）に示すように、本体部１及び支持部３の長手方向に沿うように保護部４２を位置させ、図４（ｄ）に示すように、支持部３の嵌合凸部３２を止着部４２の嵌合孔４１１に嵌合させる。このようにして、図５に示すように、耳当て部４を、本体部１及び支持部３の長手方向に沿って本体部１と支持部３の間に固定することができる。
【００３７】
＜第二実施形態＞
図７に示すように、本発明の洗髪用保護具は、装着する使用者の額に沿って湾曲した本体部１と、本体部１に留め使用者の目、鼻、口などに水などが掛かることを防ぐ鍔部２と、さらに、本体部１の外周側面１ａから基部２１側に向かって突出した突出部１２などを有している。第二実施形態は、突出部１２と鍔部２の構成以外については同様の構成を有している。
【００３８】
図７、図８に示すように、突出部１２は、第一実施形態のそれとは異なり、鍔部２の基部２１の厚みよりも長い略円筒形状を有している。そして、基部２は、第一実施形態とは異なり、突出部１２を挿通する挿通孔２３を有している。図８に示すように、この突出部１２が挿通孔２３に挿通され、突出部１２の先端が基部２１から露出し、その突出部１２の先端が円環部５に嵌着されることで、本体部１が鍔部２に係止される。本実施形態において、突出部１２の先端が円環部５に嵌着されて、本体部１が鍔部２に係止されるが、他の実施形態において、突出部１２の先端が略半球状の形状を有し挿通孔２３に挿通されたときに円環部５を介さずに基部２１を直接係合して、本体部１が鍔部２に係止されるようにすることもできる。
【００３９】
また、図示していないが、第二実施形態の洗髪用保護具において、第一実施形態と同様に、本体部１に係止される支持部３や、使用者の耳に水などが掛からないようにするために、本体部１と支持部３で固定される耳当て部４を具備することができる。なお、このとき、鍔部２は、突出部１２によって本体部１に係止されているため、支持部３は必ずしも鍔部２を本体部１と共に挟持する必要はない。
【００４０】
＜第三実施形態＞
図９に示すように、本発明の洗髪用保護具は、装着する使用者の額に沿って湾曲した本体部１と、本体部１に留め使用者の目、鼻、口などに水などが掛かることを防ぐ鍔部２と、本体部１と係止される支持部３などを有している。第二実施形態は、突出部１２、鍔部２及び支持部３の構成以外については同様の構成を有している。
【００４１】
図９、図１０に示すように、突出部１２は、第一実施形態のそれとは異なり、鍔部２の基部２１の厚みよりも長い略円筒形状を有している。そして、基部２は、第一実施形態とは異なり、突出部１２を挿通する挿通孔２３を有し、さらに、支持部３は、突出部１２を挿通する第二挿通孔３３を有している。図１０に示すように、この突出部１２が挿通孔２３に挿通されるとともに第二挿通孔３３にも挿通され、突出部１２の先端が支持部３から露出し、その突出部１２の先端が支持部３の表面に係止されることで、鍔部２は、本体部１と支持部３により挟持される。また、第二挿通孔３３には十字に切れ目が入っており、突出部１２の抜き差しが容易になっている。本実施形態において、突出部１２の先端が略半球状の形状を有し挿通孔２３及び第二挿通孔３３に挿通されたときに支持部３と係止して、鍔部２が本体部１と支持部３により挟持されるが、他の実施形態において、第二実施形態と同様に、支持部３の表面に第二実施形態における円環部５を設けて、突出部１２の先端が円環部５に嵌着されて、鍔部２が本体部１と支持部３に挟持されるようにすることもできる。
【符号の説明】
【００４２】
１・・・本体部
１１・・・第１係止部
１１１・・・突設部
１２・・・突出部
１３・・・身体当接部
１４・・・嵌着部
１５・・・外嵌部
１ａ・・・外周側面
２・・・鍔部
２１・・・基部
２２・・・張出部
２３・・・挿通孔
３・・・支持部
３１・・・第２係止部
３１１・・・貫通孔
３２・・・嵌合凸部
３３・・・第二挿通孔
４・・・耳当て部
４１・・・止着部
４１１・・嵌合孔
４２・・・保護部
５・・・環状部
Ｓ・・・空間
【図１】
2019072173.tif 000003
【図２】
2019072173.tif 000004
【図３】
2019072173.tif 000005
【図４】
2019072173.tif 000006
【図５】
2019072173.tif 000007
【図６】
2019072173.tif 000008
【図７】
2019072173.tif 000009
【図８】
2019072173.tif 000010
【図９】
2019072173.tif 000011
【図１０】
2019072173.tif 000012